(57)【要約】【課題】筐体外の、接続部カバーで覆われた側板及びそれに固定した接続部に結露した凝縮水を室外ユニットの底面を構成する室外基板に確実に導き、筐体外部に水漏れして据付設置面等を濡らさない分離型空気調和機の提供すること。【解決手段】接続部を覆う接続部カバーの内面側を伝う凝縮水を受けるように誘導部を有し、筐体側板の接続部固定位置より下面部に室外基板に連通する開口穴を有し、前記接続部カバーの誘導部先端が前記連通穴より突出するように構成により凝縮水を直接室外基板に誘導する。【選択図】図１
2006118735.tif 000002
【特許請求の範囲】
【請求項１】
室内ユニットと室外ユニットとを接続配管により連結して構成される分離型空気調和機であって、前記室外ユニットは前記接続配管を接続する接続部を筐体外に有するとともに、前記接続部を覆う接続部カバーの前記接続部下部に導水部及び誘導部を有し、前記室外ユニット筐体側板の接続部固定位置より下部に室外基板に連通する開口穴を有し、前記接続部カバーの誘導部先端が前記連通穴より突出するように構成されていることを特徴とする分離型空気調和機。
【請求項２】
連通穴より突出した、接続部カバーの誘導部の先端に下方突起を有することを特徴とする請求項１記載の分離型空気調和機。
【発明の詳細な説明】
【技術分野】
【０００１】
本発明は、室内ユニットと室外ユニットとを接続配管により連結して構成される分離型空気調和機に関するものである。
【背景技術】
【０００２】
従来の分離型空気調和機としては、室内ユニットと室外ユニットとを接続配管により連結する接続部が筐体内方に窪んで構成されているものがあった（例えば、特許文献１参照）。図６および図７は、前記特許文献１に記載された従来の分離型空気調和機を示すものである。
【０００３】
図６および図７において、室外ユニットの筐体１の内部は室外基板２の上に設立した仕切板３によって左右に仕切られ、その一方は熱交換室４と他方に機械室５が形成されている。
【０００４】
熱交換室４内にはＬ字形の熱交換器６、送風機７、駆動用のモータ８が配設されている。このＬ字形の熱交換器６は、筐体１の背面１ａに形成された空気取入口９及び左側面１ｂに形成された空気取入口１０に対向せしめられている。また、送風機７は筐体１の前面パネル１ｃに形成された吹出口１１に臨むように配設されている。
【０００５】
機械室５内には圧縮機１２の他、図示しない電源箱、アキュームレータ、四方切換弁、膨張弁等が配設されている。
【０００６】
送風機７を駆動用のモータ８によって回転駆動すると、外気が空気取入口９および１０から熱交換器６内に吸入され、熱交換器６を流過する過程で冷媒と熱交換することによって昇温または、降温した後、送風機７に付勢されて吹出口１１から外部に排出される。
【０００７】
筐体１の右側面１ｄには図示しない室内ユニットと室外ユニットを連結する接続配管１３ａおよび１３ｂを接続する接続部１４および１５が筐体１内方に窪んで構成された側板１６に設けられ、接続部は接続部カバー１７で覆われている。
【０００８】
一方、空気取入口９および１０から吸入された外気が熱交換器６を流過する過程で冷媒と熱交換する際に発生する凝縮水は室外基板２に滴下し、室外基板２に設けた排水口（図示せず）から筐体１外に排水される（例えば、特許文献２参照）。近年、特にマンション等集合住宅で、ベランダなどの据付場所を有効に活用する為、室外ユニットを壁から吊り下げ据付する事が多く、室外ユニットから発生する水の処理についてユーザーの関心が高くなっている。この場合、室外基板２に設けた排水口にドレンなどを接続し、住宅用排水溝へ凝縮水を流すような施工がなされている。
【特許文献１】特許第３２５８４６７号公報
【特許文献２】特開平８−２００７４５号公報
【発明の開示】
【発明が解決しようとする課題】
【０００９】
しかしながら、前記従来の構成では、筐体外の、接続部カバーで覆われた側板及びそれに固定した接続部に結露した凝縮水は室外ユニットの底面を構成する室外基板に導かれず、筐体外部に水漏れして据付設置面等を濡らすという課題を有していた。
【００１０】
本発明はこのような従来の課題を解決するものであり、接続部を覆う接続部カバーの内
面側に結露し滴下する凝縮水を室外基板に誘導し、側板等筐体外部の据付設置面を凝縮水で濡らさない分離型空気調和機を提供することを目的とする。
【課題を解決するための手段】
【００１１】
前記従来の課題を解決するために、本発明の分離型空気調和機は、接続部を覆う接続部カバーの内面側に結露し滴下する凝縮水を受ける導水部を接続部カバー部の接続部下部側に設け、その凝縮水を一ヶ所に集める誘導部を有し、側板には接続部固定位置より下面部に室外基板に連通する穴を有し、接続部カバーの誘導部先端が側板連通穴より突出する構成により凝縮水を室外基板に直接誘導するものである。
【００１２】
本構成によって、接続部に結露した凝縮水を接続部カバーの内面側に設けた誘導部に集積し室外基板内に直接導くことができる。
【００１３】
また、接続部カバー誘導部先端の側板連通穴より突出した位置に下方突起部を有することにより凝縮水が誘導部下部外側を伝い側板側に戻るのを防止するものである。
【００１４】
本構成によって、接続部カバーの内面側に伝う凝縮水が誘導部下部外側を伝い側板側に戻ることなく確実に室外基板内に落とすことができる。
【発明の効果】
【００１５】
本発明の分離型空気調和機は、室外ユニットから発生する凝縮水を確実に排水処理し、筐体外部の据付設置面を濡らさないので、ユーザーの要望に応え、滴下した凝縮水によるトラブル防止に効果を奏する。
【発明を実施するための最良の形態】
【００１６】
以下本発明の実施の形態について、図面を参照しながら説明する。尚、この実施の形態によって本発明が限定されるものではない。
【００１７】
（実施の形態１）
図１は本発明の実施の形態１における分離型空気調和機の基板に接続部を取り付けた側板を組み込み接続部カバーを取り付けた状態の前上よりの一部破断斜視図で、図２は前記分離型空気調和機の接続部カバーを取り付ける前の状態の前上よりの斜視図である。図３は前記分離型空気調和機に接続部カバーを取り付けたの後ろ上よりの斜視図で、図４は図１記載の分離型空気調和機をＡ―Ａで切断した断面図である。前記図１および図２、図３、図４において、従来の技術の図６および図７と同じ構成要素については同じ符号を用い、説明を省略する。
【００１８】
図１、図２、図３および図４において、室外ユニットの筐体１内方に窪んで構成された側板１６とその窪み部内に接続部１４および１５を収容し、これらを覆う接続部カバー１７とで囲まれた部位の内面側を伝う凝縮水を、接続部カバー１７面上でかつ接続部１４および１５下部に形成した略Ｖ字形の庇上の導水部１８に集め、導水部１８の略Ｖ字の最下部に溝状に設けられた誘導部１９に凝縮水を集積させ、側板の接続部より下面部に設けられた室外基板に連通する開口穴２０より、接続部カバー１７の誘導部１９先端が突出させ、更に誘導部１９は先端方向に傾斜するよう構成している。
【００１９】
この構成によれば、接続部１４、１５に結露した凝縮水を接続部カバー１７の内面側に設けた誘導部１９に集積し室外基板２内に直接導くことができ、等筐体外部の据付設置面を凝縮水で濡らさない分離型空気調和機を提供できる。
【００２０】
（実施の形態２）
図５は、本発明の実施の形態２における接続部カバーを取り付けた分離型空気調和機を図３に示したと同じＡ―Ａ切断した断面図である。図５において、図１および図２、図３、図４、図６、図７と同じ構成要素については同じ符号を用い、説明を省略する。
【００２１】
図５において、接続部カバー１７の内面側を伝う凝縮水も集積する誘導部１９の先端に下方突起部２１を有するものである。この構成によれば、接続部カバー１７の内面側を伝う凝縮水が誘導部下部外側を伝い側板側に戻ることなく確実に室外基板２内に落とすことができ、筐体外部の据付設置面を凝縮水で濡らさない分離型空気調和機を提供できる。
【産業上の利用可能性】
【００２２】
以上のように、本発明にかかる分離型空気調和機は、接続部に結露した凝縮水を室外基板内へ直接導くことができる為、側板や筐体外部の据付設置面を濡らさないという効果を奏するので、運転に伴い、凝縮水が発生する除湿機等の用途にも適用できる。
【図面の簡単な説明】
【００２３】
【図１】本発明の実施の形態１における分離型空気調和機の基板に接続部を取り付けた側板を組み込み接続部カバーを取り付けた状態の前上よりの一部破断斜視図
【図２】本発明の実施の形態１における分離型空気調和機の接続部カバーを取り付ける前の状態の前上よりの斜視図
【図３】本発明の実施の形態１における分離型空気調和機に接続部カバーを取り付けたの後ろ上よりの斜視図
【図４】本発明の実施の形態１における図１記載の分離型空気調和機をＡ―Ａで切断した断面図
【図５】本発明の実施の形態２における接続部カバーを取り付けた分離型空気調和機を図３に示したと同じＡ―Ａ切断した断面図
【図６】従来の分離型空気調和機の斜視図
【図７】従来の分離型空気調和機の横断平面図
【符号の説明】
【００２４】
１  室外ユニットの筐体
１ａ  筐体の背面
１ｂ  筐体の左側面
１ｃ  筐体の前面パネル
１ｄ  筐体の右側面
２  室外基板
３  仕切板
４  熱交換室
５  機械室
６  熱交換器
７  送風機
８  駆動用のモータ
９  背面に形成された空気取入口
１０  左側面に形成された空気取入口
１１  吹出口
１２  圧縮機
１３ａ、１３ｂ  接続配管
１４  １３ａの接続配管用接続部
１５  １３ｂの接続配管用接続部
１６  内方に窪んで構成された側板
１７  接続部カバー
１８  導水部
１９  誘導部
２０  側板の接続部より下面部に設けられた室外基板に連通する開口穴
２１  誘導部先端の下方突起部  
【図２】
2006118735.tif 000003
【図３】
2006118735.tif 000004
【図４】
2006118735.tif 000005
【図５】
2006118735.tif 000006
【図６】
2006118735.tif 000007
【図７】
2006118735.tif 000008
【図１】
2006118735.tif 000009